(57)【特許請求の範囲】
【請求項１】
箱状を呈するボディと、一端部が該ボディに回転可能に支持される逆Ｕ字状を呈するアームと、弾性脚部と基板部とが切断可能に連結されたロックキーとから成り、ボディは、アームの他端部を係合する開放された係合溝と、上記ロックキーの弾性脚部を係止する係止孔を有して、当該係止孔内にロックキーの弾性脚部を係止することにより、ロックキーの基板部で上記係合溝を表面側から閉塞して、アームの他端部をボディの係合溝内にロックする一方、ロックキーの弾性脚部と基板部とが切断されて、基板部による閉塞状態が解かれることにより、アームの他端部のロックが解除されることを特徴とする封緘具。
【請求項２】
係止孔と連続する排出孔を形成して、切断されたロックキーの弾性脚部をボディの係止孔に新しく係止する弾性脚部で当該排出孔から外部に排出することを特徴とする請求項１記載の封緘具。
【発明の詳細な説明】
【０００１】
【発明の属する技術分野】
本発明は、例えば、金融機関や郵便局などにおいて、現金やその他の貴重品を輸送するために使用される袋物等の封緘対象物を封緘する封緘具の改良に関するものである。
【０００２】
【従来の技術】
従来のこの種封緘具として、実開平７−３２１４０号公報に示すものが存在する。
該従来の封緘具は、具体的には図示しないが、箱状を呈するボディと、逆Ｕ字状を呈するアームの２部品から成り、ボディは、その上面側に一対の嵌合孔を形成し、アームは、その両端部の先端に上記嵌合孔に引き抜き不能に嵌合するロック形状を付与すると共に、該各ロック形状の上位に薄肉の切断部を形成する構成となっている。
【０００３】
従って、実際の使用に際しては、封緘対象物たる袋物の口部に設けられている取付孔又は口部に巻かれているチェーンの孔等に逆Ｕ字状のアームを挿通しながら、当該アームの両端部をボディの対応する嵌合孔に嵌入すると、そのロック形状により、アームの両端部が各嵌合孔に引き抜き不能に嵌合するので、これにより、袋物の口部が封緘されることとなる。又、袋物の口部を開封する場合には、その封緘状態のまま、アームの両端部上位に形成されている切断部を切断すれば、これにより、袋物の口部を開封することが可能となる。
【０００４】
【発明が解決しようとする課題】
従って、従来の封緘具の下では、鍵などを用いずとも、袋物の口部を簡単に封緘したり簡単に開封することが可能となる訳であるが、開封のために、アームを一旦その切断部から切断してしまうと、アームの使用が不可能となることは言うまでもないが、ボディの嵌合孔内にアーム両端部の切れ端が残って、最早、封緘具自体の再使用ができなくなってしまうので、経済的には好ましいとは決して言えなかった。
【０００５】
【課題を解決するための手段】
本発明は、斯かる従来の封緘具が抱える課題を有効に解決するために開発されたもので、請求項１記載の発明は、箱状を呈するボディと、一端部が該ボディに回転可能に支持される逆Ｕ字状を呈するアームと、弾性脚部と基板部とが切断可能に連結されたロックキーとから成り、ボディは、アームの他端部を係合する開放された係合溝と、上記ロックキーの弾性脚部を係止する係止孔を有して、当該係止孔内にロックキーの弾性脚部を係止することにより、ロックキーの基板部で上記係合溝を表面側から閉塞して、アームの他端部をボディの係合溝内にロックする一方、ロックキーの弾性脚部と基板部とが切断されて、基板部による閉塞状態が解かれることにより、アームの他端部のロックが解除される構成を採用した。
【０００６】
請求項２記載の発明は、請求項１を前提として、係止孔と連続する排出孔を形成して、切断されたロックキーの弾性脚部をボディの係止孔に新しく係止する弾性脚部で当該排出孔から外部に排出する構成を採用した。
【０００７】
依って、請求項１記載の発明にあって、封緘対象物の口部を封緘する場合には、封緘対象物側の孔等にアームの他端部を挿通しながら、当該アームの他端部をボディの係合溝に係合して、後は、ロックキーの弾性脚部をボディの係止孔に係止すると、ロックキーの基板部で、アームの他端部を係合溝内にロックすることが可能となるので、これにより、封緘作業が簡単に行なえる。又、逆に、開封する場合には、アームの他端部を係合溝から外れる方向に強制的に回転すると、ロックキーの基板部と弾性脚部とが切断されて、ロックキーの基板部によるアームの他端部のロック状態が解除できるので、これにより、開封作業も簡単に行なえるが、特に、この時は、ロックキーのみが切断されるだけであるから、新しいロックキーに交換すれば、封緘具自体の再使用も十分に可能となる。
【０００８】
請求項２記載の発明にあっては、封緘具の再使用に際しては、ロックキーを新しいものに交換して、再度、その弾性脚部をボディ側の係止孔に係止することとなるが、この時には、当該係止孔に残留している先の切断された弾性脚部が新しい弾性脚部に押されて、排出孔から順に外部に排出されるので、繰り返し行なう再使用に支障を与える心配が全くない。
【０００９】
【発明の実施の形態】
以下、本発明を図示する好適な実施の形態に基づいて詳述すれば、該実施の形態に係る封緘具は、図１に示す如く、ボディ１と、該ボディ１側に回転可能に支持されるアーム２と、該アーム２をボディ１側にロックするロックキー３の３部品から成る。
【００１０】
そして、ボディ１は、合成樹脂で別体に成形された基体１Ａと蓋体１Ｂとから成り、基体１Ａに対しては、図２にも示す如く、その一側にアーム２の一端部２ａを回転可能に支持する半割り状の支持溝４を形成し、他側にアーム２の他端部２ｂを係合する表面側が開放された係合溝５を形成すると共に、該係合溝５と支持溝４の間に後述するロックキー３の弾性脚部を係止する係止孔６を各溝４・５に直交する状態をもって形成し、且つ、ボディ１の他側表面に係合溝５と直交しながら係止孔６と連続する凹部７を形成する構成となっている。尚、係合溝５の上部溝縁にはアーム２の他端部２ｂを弾持する一対の小突起８を形成するものとする。
【００１１】
又、蓋体１Ｂに対しては、図３にも示す如く、上記した基体１Ａの係止孔６と支持溝４を覆う大きさに成形されて、やはり、その一側に基体１Ａの支持溝４と協働して円筒状の支持孔を画成するための半割り状の支持溝９を形成すると共に、該支持溝９の側壁に上記係止孔６と連続しながら外部に開口する排出孔１０を形成する構成となっている。
【００１２】
従って、アーム２の一端部２ａを基体１Ａと蓋体１Ｂの各半割り状の支持溝４・９で包囲しながら、蓋体１Ｂを基体１Ａ側に溶接等で固着すれば、これにより、基体１Ａと蓋体１Ｂとで構成された箱状を呈するボディ１にアーム２の一端部２ａが回転可能に支持されると同時に、アーム２の他端部２ｂを基体１Ａの係合溝５方向に回転させれば、当該他端部２ｂを上記した小突起８の弾持力で係合溝５に係合することが可能となる。
【００１３】
アーム２は、図示する如く、金属棒材で逆Ｕ字状に成形されて、その一端部２ａ側に各半割り状の支持溝４・９に設けられた鍔部４ａ・９ａを嵌合する凹溝１１を形成する構成となっている。
【００１４】
ロックキー３は、図示する如く、合成樹脂で複数の分離可能な連続体として成形されるものであるが、個々のロックキー３自体は、いずれも、錨状を呈する弾性脚部１２と矩形状を呈する基板部１３とが切断可能に連結されて、錨状を呈する弾性脚片を上記係止孔６内に押し込みながら係止させると、矩形状の基板部１３が凹部７内に入り込んで基体１Ａの係合溝５を表面側から閉塞できる構成となっている。
【００１５】
依って、斯かる構成の封緘具を使用して、今仮に、封緘対象物たる袋物の口部を封緘する場合には、袋物（図示せず）の口部に設けられている取付孔又は口部に巻かれているチェーンの孔等にアーム２の他端部２ｂを挿通しながら、当該アーム２の他端部２ｂを基体１Ａの係合溝５に係合する状態を得て、図４に示す如く、ロックキー３の弾性脚部１２をその撓みを得て係止孔６内に押し込んでその孔縁に弾性的に係止すると、ロックキー３がボディ１側に取り付けられると同時に、その基板部１３が凹部７内に入り込んで、アーム２の他端部２ｂを係合溝５内にロックするので、これにより、袋物の口部が簡単に封緘されることとなる。
【００１６】
又、袋物の口部を開封する場合には、その封緘状態のまま、アーム２の他端部２ｂを係合溝５から外れる方向に強制的に回転するか、或いは、ロックキー３の凹部７内に入り込んでいる基板部１３を指で持ち上げると、図５に示す如く、ロックキー３の基板部１３と弾性脚部１２とが切断されて、基板部１３による係合溝５の閉塞状態が解かれるので、これにより、袋物の口部を簡単に開封することが可能となる。従って、開封作業も鍵などを用いることなく簡単に行なえることとなるが、この基板部１３の切断の有無を確認することにより、輸送途中で不正行為が行なわれた否かの判断も可能となる。尚、基板部１３から切断された弾性脚部１２は係止孔６内にそのまま残留することとなる。
【００１７】
この為、本実施の形態にあっては、開封に際しては、ロックキー３のみが使用不能になる以外は、ボディ１もアーム２もそのまま再使用することが可能となるので、封緘具自体を再使用する場合には、ロックキー３のみを新しいものと交換して、その弾性脚部１２を係止孔６に押し込んで係止すれば、上記と同様に、新しい基板部１３が係合溝５を閉塞して、係合溝５内にアーム２の他端部２ｂをロックすることとなるので、再度、袋物の口部を封緘することが可能となる。尚、この場合には、以前から係止孔６に残留している弾性脚部１２は、図６に示す如く、新しい弾性脚部１２で順に押されて、係止孔６と連続する排出孔１０から外部に排出されるので、繰り返し行なう再使用の邪魔になることは決してない。
【００１８】
又、図示する如く、ロックキー３の基板部１３の表面側に対して通し番号等の識別番号を付せば、封緘対象物の管理が頗る容易となる。更に、本実施の形態の下では、極めて一般的な袋物を封緘対象物として説明したものであるが、これに限定されるものではなく、その他の袋物や箱物であっても良い。
【００１９】
【発明の効果】
以上の如く、本発明は、上記構成の採用により、請求項１の下では、封緘対象物の口部を封緘する場合には、封緘対象物側の孔等にアームの他端部を挿通しながら、当該アームの他端部をボディの係合溝に係合して、後は、ロックキーの弾性脚部をボディの係止孔に係止すると、ロックキーの基板部で、アームの他端部を係合溝内にロックすることが可能となるので、これにより、封緘作業が簡単に行なえる。又、逆に、開封する場合には、アームの他端部を係合溝から外れる方向に強制的に回転すると、ロックキーの基板部と弾性脚部とが切断されて、ロックキーの基板部によるアームの他端部のロック状態が解除できるので、これにより、開封作業も簡単に行なえるが、特に、この時は、ロックキーのみが切断されるだけであるから、新しいロックキーに交換すれば、封緘具自体の再使用も十分に可能となる。
【００２０】
請求項２の下では、封緘具の再使用に際しては、ロックキーを新しいものに交換して、再度、その弾性脚部をボディ側の係止孔に係止することとなるが、この時には、当該係止孔に残留している先の切断された弾性脚部が新しい弾性脚部に押されて、排出孔から順に外部に排出されるので、繰り返し行なう再使用に支障を与える心配が全くない。
【図面の簡単な説明】
【図１】本発明の実施の形態に係る封緘具を分解して示す斜視図である。
【図２】（Ａ）はボディを構成する基体の正面図、（Ｂ）は同平面図、（Ｃ）は同側面図、（Ｄ）は図２ＡのＡ−Ａ線断面図である。
【図３】（Ａ）はボディを構成する蓋体の背面図、（Ｂ）は図３ＡのＢ-Ｂ線断面図である。
【図４】（Ａ）はロックキーでアームの他端部をロックした状態を示す斜視図、（Ｂ）は同状態を一部切欠して示す正面図である。
【図５】アームの他端部のロックを解除した状態を示す斜視図である。
【図６】切断されたロックキーの弾性脚部を外部に排出する状態を一部切欠して示す正面図である。
【符号の番号】
１    ボディ
１Ａ  基体
１Ｂ  蓋体
２    アーム
２ａ  アームの一端部
２ｂ  アームの他端部
３    ロックキー
４    支持溝
５    係合溝
６    係止孔
７    凹部
８    小突起
９    支持溝
１０  排出孔
１１  凹溝
１２  弾性脚部
１３  基板部
【図１】
0004106142.tif 000002
【図２】
0004106142.tif 000003
【図３】
0004106142.tif 000004
【図４】
0004106142.tif 000005
【図５】
0004106142.tif 000006
【図６】
0004106142.tif 000007